(57)【要約】【課題】デザイン性を高めることができ、且つ、小型化を図ることができる照明器具を提供する。【解決手段】照明器具２は、中心軸Ｃ上に配置された切り欠き部３２を有する器具本体４と、器具本体４に支持された光源１２と、天井面１０に取り付けられる取付部材６と、取付部材６から切り欠き部３２を通して器具本体４の内部まで延び、器具本体４の中心軸Ｃに略垂直な方向に延びる回動軸Ｌを中心に器具本体４を回動自在に支持するシャフト部材８と、締付方向に回転しながら回動軸Ｌ上に沿って変位することにより、器具本体４の内部でシャフト部材８と器具本体４とを締結するボルト４０と、を備える。ボルト４０は、締付方向に回転した際に、回動軸Ｌ上に沿って器具本体４の中心軸Ｃから離れる方向に変位するような位置に配置される。【選択図】図８
2016115539.tif 000002
【特許請求の範囲】
【請求項１】
被取付面に取り付けられる照明器具であって、
中心軸上に配置された孔を有する器具本体と、
前記器具本体に支持された光源と、
前記被取付面に取り付けられる取付部材と、
前記取付部材から前記孔を通して前記器具本体の内部まで延び、前記器具本体の前記中心軸に略垂直な方向に延びる所定の回動軸を中心に前記器具本体を回動自在に支持するシャフト部材と、
締付方向に回転しながら前記回動軸上に沿って変位することにより、前記器具本体の内部で前記シャフト部材と前記器具本体とを締結する締結部材と、を備え、
前記締結部材は、前記締付方向に回転した際に、前記所定の回動軸上に沿って前記器具本体の前記中心軸から離れる方向に変位するような位置に配置される
照明器具。
【請求項２】
前記シャフト部材は、
前記取付部材から前記器具本体に向けて長尺状に延びる第１のシャフト部と、
前記第１のシャフト部の長手方向に略垂直な方向に延び、前記第１のシャフト部から前記孔を通して前記器具本体の内部まで延びる第２のシャフト部と、
前記第２のシャフト部から前記所定の回動軸上に沿って前記器具本体の前記中心軸から離れる方向に延び、前記締結部材により前記器具本体に締結される第３のシャフト部と、を有する
請求項１に記載の照明器具。
【請求項３】
前記シャフト部材は、さらに、前記第１のシャフト部と前記第２のシャフト部との交差部からさらに前記第１のシャフト部の長手方向に延びるとともに、前記器具本体の前記中心軸上に配置された延長部を有する
請求項２に記載の照明器具。
【請求項４】
前記器具本体は、
開口部を有する筒状の筐体と、
前記開口部を着脱自在に覆い、前記孔を有する蓋部と、
前記筐体の内部に配置され、前記光源を支持するベース部と、
前記ベース部から前記蓋部に向けて延び、前記締結部材により前記シャフト部材に締結されるポスト部と、を有する
請求項１〜３のいずれか１項に記載の照明器具。
【請求項５】
前記締結部材は、六角穴付きボルトである
請求項１〜４のいずれか１項に記載の照明器具。
【発明の詳細な説明】
【技術分野】
【０００１】
本発明は、特定の領域をスポット的に照明するための照明器具に関する。
【背景技術】
【０００２】
特定の領域をスポット的に照明するための照明器具（いわゆるスポットライト）が知られている。従来の照明器具は、光源を内蔵する器具本体と、器具本体を天井面から吊り下げるためのブラケットとを備えている（例えば、特許文献１参照）。ブラケットは、ネジ（締結部材）によって器具本体の外面に締結されている。例えば光源からの光の照射方向を変更する際には、ユーザがドライバー等の工具を用いて上述したネジを緩めることにより、器具本体をブラケットに対して回動させることができる。
【先行技術文献】
【特許文献】
【０００３】
【特許文献１】特開２０１４−４９３４８号公報
【発明の概要】
【発明が解決しようとする課題】
【０００４】
照明器具を設置した後に例えば照明器具が振動等することにより、上述したネジが自然に緩むことがある。そのため、ユーザが工具を用いてネジを定期的に増し締めすることができるように、照明器具は、ネジが照明器具の外観に露出される構造を有している。しかしながら、このような構造では、照明器具のデザイン性が低下するという課題が生じる。
【０００５】
なお、上述した課題を解決するために、ネジを器具本体の内部に配置する方法が考えられる。しかしながら、このような方法では、ネジを増し締めするための工具が入るスペースを器具本体の内部に確保する必要があるため、照明器具が大型化するという課題が生じる。
【０００６】
本発明は、このような課題に鑑みてなされたものであり、デザイン性を高めることができ、且つ、小型化を図ることができる照明器具を提供することを目的とする。
【課題を解決するための手段】
【０００７】
上記課題を解決するために、本発明の一態様に係る照明器具は、被取付面に取り付けられる照明器具であって、中心軸上に配置された孔を有する器具本体と、前記器具本体に支持された光源と、前記被取付面に取り付けられる取付部材と、前記取付部材から前記孔を通して前記器具本体の内部まで延び、前記器具本体の前記中心軸に略垂直な方向に延びる所定の回動軸を中心に前記器具本体を回動自在に支持するシャフト部材と、締付方向に回転しながら前記回動軸上に沿って変位することにより、前記器具本体の内部で前記シャフト部材と前記器具本体とを締結する締結部材と、を備え、前記締結部材は、前記締付方向に回転した際に、前記所定の回動軸上に沿って前記器具本体の前記中心軸から離れる方向に変位するような位置に配置される。
【発明の効果】
【０００８】
本発明の一態様に係る照明器具によれば、締結部材は器具本体の内部でシャフト部材と器具本体とを締結するので、締結部材が照明器具の外観に露出されなくなり、照明器具のデザイン性を高めることができる。さらに、締結部材は、締付方向に回転した際に所定の回動軸上に沿って器具本体の中心軸から離れる方向に変位するような位置に配置されているので、照明器具の大きさをコンパクトに抑えながら、締結部材を増し締めするための工具が入るスペースを器具本体の内部に確保することができる。
【図面の簡単な説明】
【０００９】
【図１】実施の形態に係る照明器具の正面側を示す斜視図
【図２】実施の形態に係る照明器具の背面側を示す斜視図
【図３】実施の形態に係る照明器具の背面側を示す分解斜視図
【図４】器具本体の内部構造を示す斜視図
【図５】図２のＶ−Ｖ線断面図
【図６】図２のＶＩ−ＶＩ線断面斜視図
【図７】実施の形態に係る照明器具の構成要素の一部を抜き出して分解した状態を示す分解斜視図
【図８】ボルトを増し締めする方法を説明するための透過斜視図
【発明を実施するための形態】
【００１０】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は模式図であり、必ずしも厳密に図示されたものではない。なお、各図において、実質的に同一の構成に対しては同一の符号を付しており、重複する説明は省略又は簡略化する。
【００１２】
（実施の形態）
以下、実施の形態に係る照明器具について説明する。
【００１３】
［１．照明器具の全体構成］
まず、図１及び図２を参照しながら、実施の形態に係る照明器具２の全体構成について説明する。図１は、実施の形態に係る照明器具２の正面側を示す斜視図である。図２は、実施の形態に係る照明器具２の背面側を示す斜視図である。
【００１４】
図１及び図２に示すように、本実施の形態の照明器具２は、特定の領域をスポット的に照明するためのスポットライトであり、器具本体４、取付部材６及びシャフト部材８を備えている。
【００１５】
取付部材６は、例えば天井面１０（被取付面）に取り付けられている。シャフト部材８は、取付部材６から器具本体４の内部まで延びている。器具本体４は、シャフト部材８に回動軸Ｌ（所定の回動軸）（後述する図４〜図６参照）を中心に回動自在に支持されており、シャフト部材８を介して取付部材６から吊り下げられている。なお、回動軸Ｌは、Ｙ軸方向に延びる仮想的な軸線である。器具本体４には、光を照射するための光源１２（後述する図５及び図６参照）が内蔵されている。
【００１６】
本実施の形態の照明器具２では、器具本体４を水平姿勢（図２に実線で示す姿勢）と垂直姿勢（図２に一点鎖線で示す姿勢）との間で回動させることにより、光源１２からの光の照射方向をＸ軸方向とＺ軸方向との間における任意の方向に変更することができる。なお、図１、図２及び後述する図３〜図８では、器具本体４が水平姿勢に保持されている状態を図示している。
【００１７】
以下、上述した器具本体４、取付部材６及びシャフト部材８の各構成について詳細に説明する。
【００１８】
［２．器具本体の構成］
次に、図１〜図７を参照しながら、器具本体４の構成について説明する。図３は、実施の形態に係る照明器具２の背面側を示す分解斜視図である。図４は、器具本体４の内部構造を示す斜視図である。図５は、図２のＶ−Ｖ線断面図である。図６は、図２のＶＩ−ＶＩ線断面斜視図である。図７は、実施の形態に係る照明器具２の構成要素の一部を抜き出して分解した状態を示す分解斜視図である。
【００１９】
図１〜図６に示すように、器具本体４は、光源１２を支持するためのものであり、筐体１４、蓋部１６、ベース部１８、ポスト部２０、ホルダ部２２、レンズ２４及び取付板２６を有している。
【００２０】
筐体１４は、略円筒状に形成されている。図１、図５及び図６に示すように、筐体１４の一方の端部には、テーパ状の開口部２８が形成されている。また、図３〜図６に示すように、筐体１４の他方の端部には円形状の開口部３０が形成されている。
【００２１】
図２及び図３に示すように、蓋部１６は、円形状の板状に形成されており、筐体１４の開口部３０を着脱自在に覆っている。蓋部１６には、蓋部１６の外周部から蓋部１６の径中心を通るように延びる切り欠き部３２（孔）が設けられている。蓋部１６が筐体１４の開口部３０に取り付けられた状態では、切り欠き部３２は器具本体４の中心軸Ｃ（図４及び図５参照）上に配置される。器具本体４の中心軸Ｃは、筐体１４の径中心を通り、且つ、回動軸Ｌに略垂直な方向（例えば図５に示す水平姿勢ではＸ軸方向）に延びる仮想的な軸線である。なお、図４及び図５に示すように、回動軸Ｌは中心軸Ｃ上に配置されていない（すなわち、回動軸Ｌと中心軸Ｃとは交差していない）。
【００２２】
図４〜図６に示すように、ベース部１８は、光源１２を支持するためのものであり、筐体１４の内部に配置されている。ベース部１８は、円形状の板状に形成されており、その一方の面には光源１２が支持されている。図５及び図６に示すように、光源１２は、配線基板３４と、配線基板３４に実装された複数のＬＥＤ（Ｌｉｇｈｔ  Ｅｍｉｔｔｉｎｇ  Ｄｉｏｄｅ）３６とを有している。
【００２３】
図３〜図７に示すように、ポスト部２０は、ベース部１８と一体的に形成され、ベース部１８の他方の面から蓋部１６の近傍まで延びている。ポスト部２０は断面略矩形状の筒状に形成され、その先端部には凹部３８が形成されている。なお、図３〜図５に示すように、ポスト部２０は、器具本体４の中心軸Ｃよりも筐体１４の径方向（例えば図５に示す水平姿勢ではＹＺ平面内の方向）外側にずれた位置に配置されている。図４及び図７に示すように、ポスト部２０の先端部には、ボルト４０（締結部材）を挿通するための一対の孔部４２，４４が設けられている。なお、ボルト４０は例えば六角穴付きボルトであり、その頭部には、六角レンチ６４（後述する図８参照）の先端部を挿入するための六角穴４０ａが設けられている。さらに、図４及び図７に示すように、ポスト部２０の先端部における内部には、ボルト４０に螺合されるナット４６が配置されている。なお、ナット４６は、六角ナットであり、ポスト部２０に対する回転が規制された状態でポスト部２０の内部に配置されている。
【００２４】
図５及び図６に示すように、ホルダ部２２は、光源１２をベース部１８の一方の面に保持するためのものである。ホルダ部２２はリング状に形成され、複数のネジ４８によってベース部１８に取り付けられている。これにより、配線基板３４の外周部は、ホルダ部２２とベース部１８の一方の面との間に挟持されるようになる。
【００２５】
図１、図５及び図６に示すように、レンズ２４は、光源１２からの光を集光するための光学レンズであり、筐体１４の開口部２８を覆うように配置されている。
【００２６】
図５及び図６に示すように、取付板２６は、筐体１４の開口部２８にレンズ２４を取り付けるためのものである。取付板２６はリング状に形成され、複数のネジ（図示せず）によって筐体１４の開口部２８の周縁部に取り付けられている。これにより、レンズ２４の外周部は、取付板２６と筐体１４の開口部２８の周縁部との間に挟持されるようになる。なお、レンズ２４の外周部と筐体１４の開口部２８の周縁部との間には、Ｏリング状のパッキン５０が介在されている。
【００２７】
［３．取付部材の構成］
次に、図１〜図７を参照しながら、取付部材６の構成について説明する。
【００２８】
取付部材６は、照明器具２を天井面１０に取り付けるためのものである。図１、図５及び図６に示すように、取付部材６は円形状の板状に形成され、その中央部には円形状の貫通孔５２が形成されている。図５に示すように、取付部材６は、複数のネジ（図示せず）によって天井面１０に取り付けられている。
【００２９】
［４．シャフト部材の構成］
次に、図１〜図７を参照しながら、シャフト部材８の構成について説明する。
【００３０】
図３〜図７に示すように、シャフト部材８は、第１のシャフト部５４、第２のシャフト部５６、第３のシャフト部５８及び延長部６０を有している。
【００３１】
第１のシャフト部５４は、取付部材６から器具本体４に向けて、Ｚ軸方向に長尺状に延びている。図１、図５及び図６に示すように、第１のシャフト部５４の上端部は、取付部材６の貫通孔５２に挿通されることにより、取付部材６に固定されている。第１のシャフト部５４は中空状に形成されており、その内部には、商用電源（図示せず）からの電力を光源１２に供給するためのケーブル（図示せず）が配置されている。
【００３２】
図３及び図５〜図７に示すように、第２のシャフト部５６は、断面略コの字状に形成され、第１のシャフト部５４の下端部から蓋部１６の切り欠き部３２を通して筐体１４の内部まで延びている。第２のシャフト部５６は、第１のシャフト部５４の長手方向（Ｚ軸方向）に略垂直な方向（Ｘ軸方向）に延びている。さらに、第２のシャフト部５６は、器具本体４が水平姿勢に保持されている状態で、器具本体４の中心軸Ｃよりも取付部材６側にずれた位置に配置されている。
【００３３】
図５〜図７に示すように、第３のシャフト部５８は、断面略Ｌ字状に形成され、第２のシャフト部５６から回動軸Ｌ上に沿って中心軸Ｃから離れる方向（Ｙ軸方向）に延びている。第３のシャフト部５８には、ボルト４０を挿通するための孔部６２が設けられている。図４及び図７に示すように、ボルト４０は、第３のシャフト部５８の孔部６２及びポスト部２０の一対の孔部４２，４４にそれぞれ挿通されるとともに、ポスト部２０の先端部における内部に配置されたナット４６に螺合される。すなわち、ボルト４０は、締付方向（図５中の矢印Ｕで示す方向）に回転した際に、回動軸Ｌ上に沿って中心軸Ｃから離れる方向（図４中の矢印Ｓで示す方向）に変位するような位置に配置されている。ボルト４０が締付方向に回転しながら回動軸Ｌ上に沿って中心軸Ｃから離れる方向に変位することにより、ボルト４０がナット４６に締め付けられる。これにより、第３のシャフト部５８とポスト部２０とがボルト４０により締結される。
【００３４】
図２〜図７に示すように、延長部６０は、断面略コの字状に形成され、第１のシャフト部５４と第２のシャフト部５６との交差部からさらに第１のシャフト部の長手方向に延びている。図５に示すように、延長部６０は、器具本体４の姿勢に拘らず、常に器具本体４の中心軸Ｃ上に配置される。
【００３５】
［５．ボルトの増し締め方法］
次に、図８を参照しながら、ボルト４０の増し締め方法について説明する。図８は、ボルト４０を増し締めする方法を説明するための透過斜視図である。
【００３６】
ボルト４０を増し締めする際には、まず、図８に示すように、蓋部１６を筐体１４の開口部３０から取り外し、Ｌ字状の六角レンチ６４を筐体１４の開口部３０を通して筐体１４の内部に挿入する。その後、六角レンチ６４の先端部をボルト４０の六角穴４０ａに挿入し、六角レンチ６４を締付方向（図８中の矢印Ｐで示す方向）に回動させることにより、ボルト４０を締付方向（図５及び図８中の矢印Ｕで示す方向）に回転させる。これにより、ボルト４０を増し締めすることができる。
【００３７】
なお、光源１２からの光の照射方向を変更する際にも同様に、まず、蓋部１６を筐体１４の開口部３０から取り外し、六角レンチ６４を筐体１４の開口部３０を通して筐体１４の内部に挿入する。その後、六角レンチ６４の先端部をボルト４０の六角穴４０ａに挿入し、六角レンチ６４を弛緩方向（図８中の矢印Ｑで示す方向）に回動させることにより、ボルト４０を弛緩方向（図５及び図８中の矢印Ｖで示す方向）に回転させる。これにより、ボルト４０を緩めることができ、光源１２からの光の照射方向が所望の照射方向になるように、器具本体４をシャフト部材８に対して回動させることができる。その後、上述した増し締め方法と同様にして、六角レンチ６４を用いてボルト４０を再度締め付ければよい。
【００３８】
［６．効果等］
上述したように、本実施の形態の照明器具２は、天井面１０に取り付けられる照明器具２である。この照明器具２は、中心軸Ｃ上に配置された切り欠き部３２を有する器具本体４と、器具本体４に支持された光源１２と、天井面１０に取り付けられる取付部材６と、取付部材６から切り欠き部３２を通して器具本体４の内部まで延び、器具本体４の中心軸Ｃに略垂直な方向に延びる回動軸Ｌを中心に器具本体４を回動自在に支持するシャフト部材８と、締付方向に回転しながら回動軸Ｌ上に沿って変位することにより、器具本体４の内部でシャフト部材８と器具本体４とを締結するボルト４０と、を備える。ボルト４０は、締付方向に回転した際に、回動軸Ｌ上に沿って器具本体４の中心軸Ｃから離れる方向に変位するような位置に配置される。
【００３９】
この構成によれば、ボルト４０は器具本体４の内部でシャフト部材８と器具本体４とを締結するので、ボルト４０が照明器具２の外観に露出されなくなり、照明器具２のデザイン性を高めることができる。さらに、ボルト４０は、締付方向に回転した際に回動軸Ｌ上に沿って器具本体４の中心軸Ｃから離れる方向に変位するような位置に配置されているので、器具本体４の内部には、器具本体４の半径Ｒ（図４参照）よりも大きい大きさを有するスペース６６（図４及び図８参照）が形成されるようになる。これにより、照明器具２の大きさをコンパクトに抑えながら、ボルト４０を増し締めするための六角レンチ６４等の工具が入るスペース６６を器具本体４の内部に確保することができる。したがって、デザイン性を高めることができ、且つ、小型化を図ることができる照明器具２を実現することができる。
【００４０】
さらに、シャフト部材８は、取付部材６から器具本体４に向けて長尺状に延びる第１のシャフト部５４と、第１のシャフト部５４の長手方向に略垂直な方向に延び、第１のシャフト部５４から切り欠き部３２を通して器具本体４の内部まで延びる第２のシャフト部５６と、第２のシャフト部５６から回動軸Ｌ上に沿って器具本体４の中心軸Ｃから離れる方向に延び、ボルト４０により器具本体４に締結される第３のシャフト部５８と、を有する。
【００４１】
この構成によれば、シャフト部材８が第１のシャフト部５４、第２のシャフト部５６及び第３のシャフト部５８を有するので、ボルト４０を上述した位置に配置することができる。
【００４２】
さらに、シャフト部材８は、さらに、第１のシャフト部５４と第２のシャフト部５６との交差部からさらに第１のシャフト部５４の長手方向に延びるとともに、器具本体４の中心軸Ｃ上に配置された延長部６０を有する。
【００４３】
この構成によれば、延長部６０が器具本体４の中心軸Ｃ上に配置されているので、図２に示すように、見かけ上、回動軸Ｌが中心軸Ｃ上に配置されている（すなわち、回動軸Ｌと中心軸Ｃとが交差している）ように見えるようになる。これにより、器具本体４の回動動作が違和感無く自然に見えるという視覚的効果をユーザに与えることができる。
【００４４】
さらに、器具本体４は、開口部３０を有する筒状の筐体１４と、開口部３０を着脱自在に覆い、切り欠き部３２を有する蓋部１６と、筐体１４の内部に配置され、光源１２を支持するベース部１８と、ベース部１８から蓋部１６に向けて延び、ボルト４０によりシャフト部材８に締結されるポスト部２０と、を有する。
【００４５】
この構成によれば、蓋部１６を筐体１４の開口部３０から取り外すことにより、ボルト４０を増し締めするための六角レンチ６４等の工具を器具本体４の内部に容易に挿入することができる。
【００４６】
さらに、ボルト４０は、六角穴付きボルトである。
【００４７】
この構成によれば、例えば六角レンチ６４を用いてボルト４０を増し締めすることができる。
【００４８】
（変形例等）
以上、本発明について実施の形態に基づいて説明したが、本発明は、上記実施の形態に限定されるものではない。
【００４９】
例えば、上記実施の形態では、ボルト４０を六角穴付きボルトで構成したが、これに限定されず、例えば六角ボルト等で構成してもよい。
【００５０】
また、上記実施の形態では、締結部材としてボルト４０を用いたが、これに限定されず、例えばネジ等で構成してもよい。
【００５１】
また、上記実施の形態では、取付部材６を天井面１０に取り付けたが、これに限定されず、例えば壁面（被取付面）に取り付けてもよい。
【００５２】
また、上記実施の形態では、蓋部１６に切り欠き部３２を設けたが、これに限定されず、例えば貫通孔（孔）を設けてもよい。
【００５３】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００５４】
２  照明器具
４  器具本体
６  取付部材
８  シャフト部材
１０  天井面（被取付面）
１２  光源
１４  筐体
１６  蓋部
１８  ベース部
２０  ポスト部
３０  開口部
３２  切り欠き部（孔）
４０  ボルト（締結部材）
５４  第１のシャフト部
５６  第２のシャフト部
５８  第３のシャフト部
６０  延長部
【図１】
2016115539.tif 000003
【図２】
2016115539.tif 000004
【図３】
2016115539.tif 000005
【図４】
2016115539.tif 000006
【図５】
2016115539.tif 000007
【図６】
2016115539.tif 000008
【図７】
2016115539.tif 000009
【図８】
2016115539.tif 000010